(57)【特許請求の範囲】
【請求項１】
構築予定の床コンクリートの厚みとほぼ同一高さの塞ぎ板の下端に直角方向へ、仮設用のサポートを取付けできる支持板を連設すると共に、前記塞ぎ板にインサート取付け手段を設け、前記支持板及び／又は塞ぎ板に鉄骨階段取付け手段を備えたことを特徴とする鉄骨階段取付金物。
【請求項２】
インサート取付け手段はボルト孔とし、階段取付け手段は、鉄骨階段との固定片としたことを特徴とする請求項１記載の鉄骨階段取付金物。
【請求項３】
コンクリート製の床の端面であって、床用型枠を構築すると共に、階段取付け部分に、インサートを埋設して一体に接続した鉄骨階段取付金物に、鉄骨階段の端部を固定して、以下のように構成したことを特徴とする鉄骨階段取付け構造。
（１）前記鉄骨階段取付金物は、一側に前階からの鉄骨階段の上端部を固定し、他側に次階に向かう鉄骨階段の下端部を固定でき、かつ中央部に前記両鉄骨階段の間を塞ぐことができる吹き抜け板を配置した構造とした。
（２）前記コンクリート製の床は、前記鉄骨階段取付金物の端縁と前記床用型枠の階段側の端縁とを対向させ又は重ねて、コンクリートを打設して、前記コンクリートが固化発現後に、前記鉄骨階段取付金物を残置すると共に前記床用型枠を取り外して構築した。
（３）前記鉄骨階段取付金物の高さは前記コンクリート製の床の厚さと略同一に形成した。
【請求項４】
（１）構築予定階で、所定位置と高さで、インサート付きの鉄骨階段取付金物を支持すると共に、
該鉄骨階段取付金物の端縁と構築予定階の床用型枠の階段側の端縁とを対向し又は重ねて、前記鉄骨階段取付金物は一側に前階からの鉄骨階段の上端部を固定でき、他側に次階に向かう鉄骨階段の下端部を固定でき、かつ中央部に前記両鉄骨階段の間を塞ぐことができる吹き抜け板を配置した構造とし、
（２）階段構築位置に鉄骨階段を配置し、
（３）前記鉄骨階段の下端部を既設階の床に固定すると共に、前記鉄骨階段の上端部を前記階段取付金物の一側に固定して、前記階段取付金物を床型枠の一部として、
（４）構築予定階にコンクリートを打設して、前記鉄骨階段取付金物の上縁を定規としてコンクリートの上面を均し、前記階段取付金物のインサートを埋設し、前記コンクリートが固化発現後に、前記鉄骨階段取付金物を残置すると共に前記床用型枠を取り外し、構築予定階にコンクリート床を造成することを特徴とした鉄骨階段取付け方法。
【請求項５】
（１）構築予定の中間踊り場階で、所定位置と高さで、中間踊り場階用のインサート付きの鉄骨階段取付金物を支持すると共に、該鉄骨階段取付金物の端縁と構築予定の中間踊り場階の床用型枠の端縁とを対向し又は重ねて、前記鉄骨階段取付金物は一側に前階からの鉄骨階段の上端部を固定でき、他側に次階に向かう鉄骨階段の下端部を固定でき、かつ中央部に前記両鉄骨階段の間を塞ぐことができる吹き抜け板を配置した構造とし、
（２）階段構築位置に、半階分の第１の鉄骨階段を配置し、
（３）前記第１の鉄骨階段の下端部を既設階の床に固定すると共に、前記第１の鉄骨階段の上端部を中間踊り場階の鉄骨階段取付金物の一側に固定して、該中間踊り場型枠の一部とし、
（４）中間踊り場階のコンクリートの打設後、あるいは打設前に、構築予定の次階で、所定位置と高さで、次階用のインサート付きの鉄骨階段取付金物を支持すると共に、該鉄骨階段取付金物の端縁と構築予定の次階の床用型枠の階段側の端縁とを対向し又は重ねて、
（５）階段構築位置に、半階分の第２の鉄骨階段を配置し、
（６）前記第２の鉄骨階段の下端部を中間踊り場用の鉄骨階段取付金物の他側に固定すると共に、第２の鉄骨階段の上端部を前記次階用の鉄骨階段取付金物に固定して、該次階用の床型枠の一部とし、
（７）構築予定の次階にコンクリートを打設して、前記鉄骨階段取付金物の上縁を定規としてコンクリートの上面を均し、前記鉄骨階段取付金物のインサートを埋設し、前記コンクリートが固化発現後に、前記鉄骨階段取付金物を残置すると共に前記床用型枠を取り外し、構築予定の次階にコンクリート床を造成することを特徴とした鉄骨階段取付け方法。
【発明の詳細な説明】
【０００１】
【発明の属する技術分野】
この発明は、階段とコンクリート床とを緊密かつ確実に連結すると共に、該連結部の強度的信頼度を向上することを目的とした鉄骨階段取付金物及び鉄骨階段取付け構造並びに鉄骨階段取付け方法に関するものである。
【０００２】
【従来の技術】
従来鉄骨階段と床コンクリートとは、床コンクリート内へ埋設したナットに、階段側から挿通したボルトを螺合して固定するなどの装置が知られている。
【０００３】
【発明により解決しようとする課題】
前記従来の方法によれば、予め床コンクリートにナットなどを埋設しておく為に、階段側に型枠がある。そこでコンクリート硬化後、型枠を除去してから階段を取付けなければならなかった。そこでナットと、階段取付け部の孔のずれがあったり、型枠の設置と取り外しに時間が掛かるなどの問題点があった。
【０００４】
また先付けで鉄骨階段を設置する場合には、鉄骨階段側にアンカー等の取付け手段を予め設けた状態で当該鉄骨階段を架設し、コンクリートを打設して、取付け手段を床コンクリート内に埋設して、取付け手段をコンクリートに固着する必要があった。従って、ある階にコンクリートを打設する場合には、その階より上階に延びる鉄骨階段を予め組み立てなければならなかった。よって、コンクリートを打設する予定の階より上の鉄骨階段を支持するために、鉄骨階段用の仮設のサポート類が必要であった。つまり、コンクリート打設階の躯体（床等）用の仮設部材に、加えて鉄骨階段用の仮設部材を要するので、仮設部材が多くなる問題点があった。
【０００５】
【課題を解決する為の手段】
この発明は、コンクリート床の型枠兼用の階段取付金物を使用することにより、前記従来の問題点を改善することに成功したのである。
【０００６】
即ちこの発明は、構築予定の床コンクリートの厚みとほぼ同一高さの塞ぎ板の下端に直角方向へ、仮設用のサポートを取付けできる支持板を連設すると共に、前記塞ぎ板にインサート取付け手段を設け、前記支持板及び／又は塞ぎ板に鉄骨階段取付け手段を備えたことを特徴とする鉄骨階段取付金物である。また、この発明は、インサート取付け手段はボルト孔とし、階段取付け手段は、鉄骨階段との固定片としたことを特徴とする鉄骨階段取付金物である。
【０００７】
また、他の発明は、コンクリート製の床の端面であって、床用型枠を構築すると共に、階段取付け部分に、インサートを埋設して一体に接続した鉄骨階段取付金物に、鉄骨階段の端部を固定して、以下のように構成したことを特徴とする鉄骨階段取付け構造である。
（１）前記鉄骨階段取付金物は、一側に前階からの鉄骨階段の上端部を固定し、他側に次階に向かう鉄骨階段の下端部を固定でき、かつ中央部に前記両鉄骨階段の間を塞ぐことができる吹き抜け板を配置した構造とした。
（２）前記コンクリート製の床は、前記鉄骨階段取付金物の端縁と前記床用型枠の階段側の端縁とを対向させ又は重ねて、コンクリートを打設して、前記コンクリートが固化発現後に、前記鉄骨階段取付金物を残置すると共に前記床用型枠を取り外して構築した。
（３）前記鉄骨階段取付金物の高さは前記コンクリート製の床の厚さと略同一に形成した。
【０００８】
また、鉄骨階段取付け方法の発明は、
（１）構築予定階で、所定位置と高さで、インサート付きの鉄骨階段取付金物を支持すると共に、該鉄骨階段取付金物の端縁と構築予定階の床用型枠の階段側の端縁とを対向し又は重ねて、前記鉄骨階段取付金物は一側に前階からの鉄骨階段の上端部を固定でき、他側に次階に向かう鉄骨階段の下端部を固定でき、かつ中央部に前記両鉄骨階段の間を塞ぐことができる吹き抜け板を配置した構造とし、
（２）階段構築位置に鉄骨階段を配置し、
（３）前記鉄骨階段の下端部を既設階の床に固定すると共に、前記鉄骨階段の上端部を前記階段取付金物の一側に固定して、前記階段取付金物を床型枠の一部として、
（４）構築予定階にコンクリートを打設して、前記鉄骨階段取付金物の上縁を定規としてコンクリートの上面を均し、前記階段取付金物のインサートを埋設し、前記コンクリートが固化発現後に、前記鉄骨階段取付金物を残置すると共に前記床用型枠を取り外し、構築予定階にコンクリート床を造成することを特徴とした鉄骨階段取付け方法である。
【０００９】
また、他の鉄骨階段取付け方法の発明は、
（１）構築予定の中間踊り場階で、所定位置と高さで、中間踊り場階用のインサート付きの鉄骨階段取付金物を支持すると共に、該鉄骨階段取付金物の端縁と構築予定の中間踊り場階の床用型枠の端縁とを対向し又は重ねて、前記鉄骨階段取付金物は一側に前階からの鉄骨階段の上端部を固定でき、他側に次階に向かう鉄骨階段の下端部を固定でき、かつ中央部に前記両鉄骨階段の間を塞ぐことができる吹き抜け板を配置した構造とし、
（２）階段構築位置に、半階分の第１の鉄骨階段を配置し、
（３）前記第１の鉄骨階段の下端部を既設階の床に固定すると共に、前記第１の鉄骨階段の上端部を中間踊り場階の鉄骨階段取付金物の一側に固定して、該中間踊り場型枠の一部とし、
（４）中間踊り場階のコンクリートの打設後、あるいは打設前に、構築予定の次階で、所定位置と高さで、次階用のインサート付きの鉄骨階段取付金物を支持すると共に、該鉄骨階段取付金物の端縁と構築予定の次階の床用型枠の階段側の端縁とを対向し又は重ねて、
（５）階段構築位置に、半階分の第２の鉄骨階段を配置し、
（６）前記第２の鉄骨階段の下端部を中間踊り場用の鉄骨階段取付金物の他側に固定すると共に、第２の鉄骨階段の上端部を前記次階用の鉄骨階段取付金物に固定して、該次階用の床型枠の一部とし、
（７）構築予定の次階にコンクリートを打設して、前記鉄骨階段取付金物の上縁を定規としてコンクリートの上面を均し、前記鉄骨階段取付金物のインサートを埋設し、前記コンクリートが固化発現後に、前記鉄骨階段取付金物を残置すると共に前記床用型枠を取り外し、構築予定の次階にコンクリート床を造成することを特徴とした鉄骨階段取付け方法である。
【００１０】
また、前記発明における取付金物と、インサートとの固定は、ボルトナットを使用し、又は溶接その他従来知られている固定手段は何れも使用することができる。またインサートの形状構造について特に制約はない。
【００１１】
また、階段取付金物は、型枠の一部として使用した後、そのまま階段支持部材として残留するので、階段の取付け部の補強になることは勿論、型枠を堅固に保持し、かつ前記のように上下階段の連結部材ともなる。
【００１２】
また、取付金物の上端面は床コンクリートの上縁を設定することができる。
【００１３】
また、前記における構築予定階又は中間踊り場階での鉄骨階段取付金物の支持は、パイプサポートなど各種サポート類からなる仮設用支持手段により下方から支持する。
【００１４】
【発明の実施の形態】
構築予定の床（コンクリート）の厚さと同一高さの縦方向の塞ぎ板１の下端に横方向の支持板２を連設する。塞ぎ板１の表面１ｂに、鉄骨階段２０固定用の固定金物片３、４を縦に固着する。塞ぎ板１の透孔９、９に挿通したボルト７、７にＹ字状のインサート６を螺合固定する（図１（ｃ））。塞ぎ板１の固定金物片３、４に透孔１０、１０を穿設し、支持板２に、仮設用のサポート（パイプサポート等）を固定する為の透孔４５、４５を穿設して、取付金物５とする（図１（ａ））。
【００１５】
また、１階分の鉄骨階段２０の上下端部に取付金物５を連結し、前記取付金物５のインサート６をコンクリート製の床へ埋設して鉄骨階段を固定する。１階分の鉄骨階段を上下２つに分割した場合には、下側の鉄骨階段の下端部に取付金物５が固定され、上側の鉄骨階段の上端部に取付金物５が固定される。中間踊り場を鉄骨階段とせずに、現場打ちコンクリート製とする場合には、更に中間踊り場用の取付金物５が、下側の鉄骨階段の上端部、上側の鉄骨階段の下端部に夫々固定される。
【００１６】
【実施例１】
図面に基づきこの発明の取付金物（鉄骨階段取付金物）５、鉄骨階段取付け方法について説明する。
【００１７】
［階段の取付金物５の構成］
【００１８】
床用型枠と略同一厚さの支持板２に、床コンクリートの厚さと同一の高さを有する塞ぎ板１を、立設固定する。支持板２で、塞ぎ板１の位置より床用型枠側を巾Ｌ１の床側片２ａとし、鉄骨階段側を巾Ｌ２の階段側片２ｂとする（図２（ｂ））。ここで、
Ｌ１＜Ｌ２
とする。本実施例では、支持板の巾Ｌ＝１２５ｍｍとした場合、Ｌ１＝１３ｍｍ程度に形成する。
【００１９】
前記塞ぎ板１で、床側（Ｌ１側）の表面を１ａとし、鉄骨階段側面（Ｌ２側）を表面１ｂとする。
【００２０】
前記支持板２の上面と塞ぎ板１の表面１ｂとの間に、両端部に鉄骨階段２０と固定する為の固定金物片３、３を縦に固着し、同じく中央部へ固定金物片４、４を縦に固着する（この実施例では、固定金物４は固定金物３と同一構造）。端部の固定金物片３と中央部の固定金物片４とで、夫々床に取り付けられる鉄骨階段に対応し、夫々ささら桁１７、１７の位置に合わせて配置されている。固定金物片３、４に、鉄骨階段２０のささら桁１７と固定する為に、ささら桁１７の透孔１８と連通する透孔１０を穿設する。
【００２１】
また、前記塞ぎ板１の横方向に適宜間隔を設けて、透孔９、９を穿設する。前記塞ぎ板１の一側の表面１ａ側に、Ｙ字状のインサート６を配置し、他側の表面１ｂ側から前記透孔９、９に挿入したボルト７、７で、インサート６を固定する（図１（ｂ）（ｃ））。
【００２２】
また、中央部の固定金物片４、４間に、両鉄骨階段階段（ささら桁）間を塞ぐ吹き抜け板４１を配置し、該吹き抜け板４１に突設されたボルト軸４２、４２を、塞ぎ板１の透孔４６から貫通してナット４３、４３で固定する（図６）。この際、塞ぎ板１の表面１ｂと吹き抜け板４１との間はフィラープレート４４介して、固定され、所定間隙が設けられている。また、吹き抜け板４１の下縁４１ａと、支持板２の上面とも所定間隙を設ける。
【００２３】
また、支持板２で、サポート３９で支持する位置に、サポート取付け用の治具４７を取付ける為の透孔４５、４５を穿設する。以上のようにして、取付金物５を構成する（図１（ａ）、図２（ａ）（ｂ））。前記取付金物５は、予め工場で製造組立し、あるいは、インサート６は、鉄骨階段構築現場で、塞ぎ板１に取付けることもできる。
【００２４】
前記治具４７は、サポート３９のフランジ３９ａと固定する為のフランジ４８の上面に、取付金物５と固定する為の略逆Ｕ字状の逆Ｕ字状金具４９を固着して構成してある。逆Ｕ字状金具４９は上面が平坦に形成され、取付金物５の支持板２を載置できかつ支持板２の透孔４５、４５と連通する透孔（図示していない）が穿設してある（図３、図４）。
【００２５】
また、前記において、取付金物５の支持板２に予め、サポート取付け用の治具４７を取り付けて、取付金物５を構成することもできる。
【００２６】
［鉄骨階段２０の構成］
【００２７】
階段状に配置した踏み板１９、１９の両端部を、鋼板製のささら桁１７、１７で挟んで固定して、鉄骨階段２０を構成する。前記ささら桁１７の床躯体（取付金物）に固定する部分に透孔１８、１８を穿設してある。また、ささら桁１７の他側に固定できる、鋼板製の中間踊り場２１を用意する。また、前記踏み板１９は、無機系（モルタル系を含む）材質の踏み板を、階段状に屈曲した薄い鋼板でサンドイッチして構成されている。
【００２８】
前記鉄骨階段２０は、半階分を形成し、２つの鉄骨階段２０、２０及び中間踊り場２１を組み合わせて、１階分の階段を構成する。
【００２９】
また、構築現場に搬入される前に予め工場で、あるいは構築現場に搬入後に、鉄骨階段２０Ｂのささら桁１７の上端部に、取付金物５を固定する。即ち、取付金物５の固定金具３、４をささら桁１７、１７に添わせ、透孔１０、１８にボルト１１を挿入して、ナット１２で螺合緊結して行う。この際、取付金物５の一側５ａに鉄骨階段２０Ｂが固定され、他側５ｂは、鉄骨階段は設けられていない（図４等）。
【００３０】
前記実施例において、鉄骨階段２０Ａ、２０Ｂと中間踊り場２１とから階段を構成したが、踏み段部と中間踊り場片とが一体となった鉄骨階段２０Ａ、２０Ｂを使用することもできる（図示していない）。この場合、両中間踊り場片で、中間踊り場を構成する。
【００３１】
［構築方法］
【００３２】
次に、この実施例の構築方法について説明する。
【００３３】
（１）  基準階（既設階）Ｆ０では、取付金物５の一側５ａに下方に向けた鉄骨階段２０が固定された状態で、コンクリート製の床２３が構築されている（図７（ａ）、図５）。
【００３４】
（２）  構築予定階Ｆ１用の取付金物５は、インサート６及びサポート取付用の治具４７が取り付けられている。階段２０及び床用の型枠２４を支持するためのサポート（汎用品）３９を、取付金物５の設置位置（鉄骨階段２０の設置位置）に合わせて予め墨出しした所定位置に立てる。サポート３９の上側のフランジ３９ａに、次階Ｆ１用の取付金物５を架設し、治具４７のフランジ４８とサポート３９のフランジ３９ａとをボルト・ナットで固定する。
【００３５】
（３）サポートの立設に並行して、構築予定階Ｆ１（Ｆ０の次階）を構築する為の床用の型枠２４をはじめとした型枠及び鉄筋を従来の方法により構築する。この際、例えば床用の型枠２４は、水平に配置した木製の根太３７ａ、角材３６ａを介して、サポート３８、３８で支持する（図４）。
【００３６】
この際、床用の型枠２４の階段側の端縁２４ａは、サポート取付け用の治具４７の逆Ｕ字状金具４９の上面に載置され、取付け金具５の床側片２ａの端縁とを、わずかな隙間（１〜数ｍｍ程度）を空けて対向させる。床用の型枠２４の端縁２４ａを治具４７に載せながら、サポート３９をレベル調節した後、サポート３９を固定する。
【００３７】
また、前記床用の型枠２４及び鉄筋の構築に並行して、あるいは構築後に、構築予定階Ｆ１（Ｆ０の次階）に向かう一側の鉄骨階段２０Ａ、中間踊り場２１、他側の鉄骨階段２０Ｂを配置する（図７（ａ））。
【００３８】
（４）  一側の鉄骨階段２０Ａの下端部のささら桁１７を、基準階Ｆ０（既設）の取付金物５の他側５ｂにボルト１１、ナット１２で固定する（図５）と共に、鉄骨階段２０Ａ他側及び鉄骨階段２０Ｂの下端部に中間踊り場２１をボルトナットで固定する。
【００３９】
鉄骨階段２０Ｂのささら桁１７を、構築予定階Ｆ１の取付金物５の固定金物片３、４に、透孔１０、１８に挿通したボルト１１、ナット１２で、固定する（図４）。この際、予め所定位置に配置した取付金物５（サポート３９）に合わせるだけで、容易に鉄骨階段２０Ｂを正確な位置に配置することができる。また、中間踊り場２１の下面を、ボックス型サポート等で支持する（図示していない）。
【００４０】
以上の作業により、鉄骨階段２０Ａ、２０Ｂは、架設され、作業階段として使用することもできる。この際、取付金物５の塞ぎ板１が堰板として、床用型枠の一部として機能するので、階段部分の床用型枠の構築作業が軽減される。
【００４１】
（５）  次に、床用型枠２４を初めとした型枠内に、コンクリートを打設する（図７（ｃ））。この際、取付金物５の塞ぎ板１の上縁１ｃを定規として、未だ固まらないコンクリートの上面２３ａを均すことができるので、コンクリート打設・均し作業を軽減できる。また、取付金物５に吹き抜け板４１が取付けられているので、コンクリート打設又は均し作業中に、コンクリートが過誤により両鉄骨階段の間から下方に漏れることを防止できる。
【００４２】
また、取付金物５の他側５ｂに上階に向かう鉄骨階段２０が接合されていないが、塞ぎ板１で塞ぐので、コンクリートの打設に支障が無い。
【００４３】
また、前記における中間踊り場２１は、中間踊り場２１の端部を貫通したアンカー鉄筋を階段室壁２６内に埋設して、躯体（階段室壁）への固定される（図示していない）。
【００４４】
（６）  コンクリートが固化発現後、床用型枠２４を初め、不要な型枠、サポート３８、３９等を取り外せば、次階Ｆ１のコンクリート製の床２３を初めとした躯体の構築が完了する（図７（ｄ）、図４、図５）。
【００４５】
ここで、取付金物５のインサート６、６がコンクリート内に埋設されるので、取付金物５を介して、鉄骨階段２０Ａ、２０Ｂが躯体に固定される。また、取付金物５は打ち込み型枠として残置され、コンクリート製床２３の下面端部が取付金物５で補強されるので、該部を補強できる。
【００４６】
（７）  以上で、鉄骨階段の構築が完了する（図４、図５）。次階の鉄骨階段２０Ｃ等も同様に組み立てる。図３〜図５中で、３０は床の仕上げ面である。また、吹き抜け板４１の上縁は、床仕上げ面３０より上方に位置しているので、床からごみや、物が階段側に落下することを防止する。
【００４７】
［他の実施例］
【００４８】
（１）  また、前記取付金物５の実施例において、支持板２に塞ぎ板１を立設してたが他の構成とすることもできる。即ち、支持板２を片２ａと片２ｂに分離し、塞ぎ板１と支持板２の鉄骨階段側２ｂとを一枚の板で構成し、Ｌ字状に屈曲して、床型枠側片２ａを溶接固着することもできる（図１（ｄ））。また、支持板２の床型枠側片２ａを省略することもできる（図１（ｅ））。
【００４９】
また、前記実施例において、Ｙ字状のアンカー６を使用したが、鉄骨階段２０を取付金物５をコンクリート製の床の端面に支持できれば、アンカーの形状構造は任意である。例えば、ボルト状金具１３に適宜長さのＵ字状の鉄筋２１を係止し、透孔９を貫通したボルト状金具１３の螺糸部にナット１４を螺合して、アンカーとすることもできる（図１（ｄ））。
【００５０】
（２）前記実施例の取付方法において、取付金物５は、予めパイプサポート３９で支持して、その後に鉄骨階段２０を取付金物５に固定したが、鉄骨階段２０の上端部に取付金物５を固定し、取付金物５の下方にパイプサポート３９を取り付けて支持することもできる（図示していない）。
【００５１】
（３）前記実施例において、床用の型枠２４の階段側の端縁２４ａは、取付け金具５の床側片２ａの端縁とを対向させたが、実施例３で述べるような両端縁を重ねて、固定することもできる（図１１）。この場合には、型枠２４の不具合があった場合にも、施工性を高める等の効果があるので、望ましい。この場合に使用する治具４７は、実施例３で述べるように、サポート３９のフランジ３９ａと固定する為のフランジ４８の上面に、取付金物５と固定する為の受け金具（横設した角パイプ状）４９を固着して構成してある。受け金具４９は一側上面に取付金物５の支持板２を載置でき、かつ支持板２の透孔４５、４５と連通する透孔（図示していない）が穿設してあり、他側上面に、使用する床用型枠２４の厚さ分だけ下がった段差５０が形成されている（図１１）。
【００５２】
【実施例２】
この実施例は、実施例１では、鉄骨製の中間踊り場を使用したが、この実施例では、中間踊り場も鉄筋コンクリート製を採用したもので、構築方法が前記実施例１と異なる。前記実施例１と同じ取付金物５、鉄骨階段２０を使用する。
【００５３】
（１）  前記実施例１の構築方法と同様に、基準階（既設階）Ｆ０では、取付金物５の一側５ａに下方に向けた鉄骨階段２０が固定された状態で、コンクリート製の床２３が構築されている（図８（ａ）、図５）。
【００５４】
（２） 構築予定階Ｆ０−１用の取付金物５は、前記構築方法１と同様に、インサート６及びサポート取付用の治具４７が取り付けられている。階段２０及び床用の型枠２４を支持するためのサポート（汎用品）３９を所定位置に立て、サポート３９の上側のフランジ３９ａに、Ｆ０−１階用の取付金物５を架設し、治具４７のフランジ４８とサポート３９のフランジ３９ａとをボルト・ナットで固定する。
【００５５】
実施例１と同様に構築した中間踊り場階Ｆ０−１（Ｆ０とＦ１の中間階）を構築する為の踊り場用の型枠２９を、前記型枠２４と同様に、その端部を治具４７の逆Ｕ字状金具４９上に載置し、サポート３９のレベルを調節して、固定する。
【００５６】
また、前記型枠２９及び鉄筋の構築に平行して、あるいは構築後に、構築予定のＦ０−１階に向かう一側の鉄骨階段２０Ａを配置する（図８（ａ））。前記他側の鉄骨階段２０Ｂの上端（次階との連結部）に、取付金物５の一側５ａが固定されている。
【００５７】
（３）  前記実施例１と同様に、鉄骨階段２０Ａの下端部のささら桁１７を、基準階Ｆ０（既設）の取付金物５にボルト１１、ナット１２で固定する（図５参照）と共に、鉄骨階段２０Ａの上端部のささら桁１７を、サポート３９で支持したＦ０−１階用の取付金物５に固定する（図８（ｂ）、図４参照）。
【００５８】
（４）  次に、型枠２９を初めとした型枠上に、コンクリートを打設して中間踊り場２８を構築する（図８（ｃ））。また、Ｆ０−１階の取付金物５の他側５ｂに上階に向かう鉄骨階段２０Ｂが接合されていないが、塞ぎ板１で塞ぐので、コンクリートの打設に支障が無い。
【００５９】
（５）  前記中間踊り場Ｆ０−１階のコンクリートを打設した後、同様に、Ｆ１階構築用の型枠２４を構築すると共に、Ｆ１階用の取付金物５を固定したサポート３９、３９を所定位置に立設する。Ｆ１階の型枠２４の端縁２４ａをＦ１階用の取付金物５の治具４７の逆Ｕ字状金具４９に載置し、レベル調節後にサポート３９、３９を固定する。この作業と並行して又は作業後に、鉄骨階段２０Ｂを配置する（図８（ｃ））。
【００６０】
（６）  中間踊り場Ｆ０−１階の取付金物５の他側５ｂに、鉄骨階段２０Ｂのささら桁１７の下端部を同様にして、ボルト１１、ナット１２で固定する（図５参照）とと共に、鉄骨階段２０Ｂのささら桁１７の上端部を構築予定階Ｆ１の取付金物５に固定する（図８（ｄ）、図４参照）。
【００６１】
（７）  次に、床用型枠２４を初めとした型枠上に、コンクリートを打設する（図８（ｅ））。この際、取付金物５の塞ぎ板１の上縁１ｃを定規として、未だ固まらないコンクリートの上面２３ａを均すことができる。また、Ｆ１階の取付金物５の他側５ｂに上階に向かう鉄骨階段２０が接合されていないが、塞ぎ板１で塞ぐので、コンクリートの打設に支障が無い。
【００６２】
（８）  コンクリートが固化発現後、床用型枠２４を初め、不要な型枠、サポート３８、３９等を取り外せば、次階Ｆ１のコンクリート製床２３を初めとした躯体の構築が完了する（図８（ｆ）、図４参照）。
【００６３】
また前記実施例１と同様に、取付金物５、５のインサート６、６がコンクリート内に埋設されるので、取付金物５を介して、鉄骨階段２０Ａ、２０Ｂが躯体に固定される。また、取付金物５は打ち込み型枠として残置され、コンクリート製床２３の下面端部が取付金物５で補強されるので、該部を補強できる。
【００６４】
（９）  以上で、鉄骨階段の構築が完了する（図３、図４参照）。次階の鉄骨階段２０Ｃ等も同様に組み立てる（図示していない）。
【００６５】
［他の実施例］
【００６６】
前記実施例１の取付方法と他の実施例と同様に、鉄骨階段２０の上端部に取付金物５を固定し、取付金物５の下方にパイプサポート３９を取り付けて支持することもできる（図示していない）。
【００６７】
また、取付金物５、鉄骨階段２０、サポート用の治具４７の他の実施例は、前記実施例１と同様である（図示していない）。
【００６８】
【実施例３】
図９、図１０に基づきこの発明の取付金物（鉄骨階段取付金物）５について説明する。
【００６９】
［階段の取付金物５の構成］
【００７０】
床用型枠と略同一厚さの支持板２に、床コンクリートの厚さと同一の高さを有する塞ぎ板１を、立設固定する。支持板２で、塞ぎ板１の位置より床用型枠側を巾Ｌ１の床側片２ａとし、鉄骨階段側を巾Ｌ２の階段側片２ｂとする（図９（ｂ））。ここで、
Ｌ１＜Ｌ２
とする。本実施例では、支持板の巾Ｌ＝１２５ｍｍとした場合、Ｌ１＝１３ｍｍ程度に形成する。
【００７１】
前記塞ぎ板１で、床側（Ｌ１側）の表面を１ａとし、鉄骨階段側面（Ｌ２側）を表面１ｂとする。
【００７２】
前記支持板２の上面と塞ぎ板１の表面１ｂとの間に、両端部に鉄骨階段２０と固定する為の固定金物片３、３を縦に固着し、同じく中央部へ固定金物片４、４を縦に固着する（この実施例では、固定金物４は固定金物３と同一構造）。端部の固定金物片３と中央部の固定金物片４とで、夫々床に取り付けられる鉄骨階段に対応し、夫々ささら桁１７、１７の位置に合わせて配置されている。固定金物片３、４に、鉄骨階段２０のささら桁１７と固定する為に、ささら桁１７の透孔１８、１８と連通する透孔１０、１０を上下２段に穿設する。
【００７３】
また、前記塞ぎ板１の横方向に適宜間隔を設けて、透孔９、９を穿設する。前記塞ぎ板１の一側の表面１ａ側に、基端部にナット７ａを取り付けた鋼棒からなるインサート６の基端部を前記透孔９、９に挿入し、他側の表面１ｂ側からナット７ａを螺合して、鋼棒上のナット７ａで塞ぎ板１を挟み、インサート６を固定する（図９（ｂ）（ｃ））。前記インサート６の先端部には、定着用の突部（ナット）が形成してある。
【００７４】
また、中央部の固定金物片４、４間に、両鉄骨階段階段（ささら桁）間を塞ぐ吹き抜け板４１を配置し、該吹き抜け板４１に突設されたボルト軸４２、４２を、塞ぎ板１の透孔４６から貫通してナット４３、４３で固定する（図６参照）。この際、塞ぎ板１の表面１ｂと吹き抜け板４１との間はフィラープレート４４介して、固定され、所定間隙が設けられている。また、吹き抜け板４１の下縁４１ａと、支持板２の上面とも所定間隙を設ける。
【００７５】
また、支持板２で、サポート３９により支持する位置に、サポート取付け用の治具４７を取付ける為の透孔４５、４５を穿設する。以上のようにして、取付金物５を構成する（図９（ａ）（ｂ））。前記取付金物５は、予め工場で製造組立し、あるいは、インサート６は、鉄骨階段構築現場で、塞ぎ板１に取付けることもできる。
【００７６】
前記治具４７は、サポート３９のフランジ３９ａと固定する為のフランジ４８の上面に、取付金物５と固定する為の受け金具（横設した角パイプ状）４９を固着して構成してある。受け金具４９は一側上面に取付金物５の支持板２を載置でき、かつ支持板２の透孔４５、４５と連通する透孔（図示していない）が穿設してあり、他側上面に、使用する床用型枠２４の厚さ分だけ下がった段差５０が形成されている（図１０）。
【００７７】
また、前記において、実施例１と同様に、取付金物５の支持板２に予め、サポート取付け用の治具４７を取り付けて、取付金物５を構成することもできる。
【００７８】
［構築方法］
【００７９】
この実施例の取付金物５を使用した階段の構築方法については、中間踊り場２１を鋼製とした場合は前記実施例１と同様であり（図７（ａ）〜（ｄ））、また、中間踊り場２１を現場で構築する鉄筋コンクリート製とした場合は前記実施例２と同様である（図８（ａ）〜（ｆ））。
【００８０】
この実施例では、サポート取付け用の治具４７の受け金具４９と、床用の型枠２４の階段側の端縁２４ａとの配置が、前記実施例１、２と異なる。
【００８１】
（１）  即ち、鉄骨階段２０の設置位置に合わせて予め墨出しした所定位置に、サポート３９の上側のフランジ３９ａに、取付金物５を架設し、治具４７のフランジ４８とサポート３９のフランジ３９ａとをボルト・ナットで固定する。また、床用型枠２４も前記実施例と同様に構築するが、床用の型枠２４の階段側の端縁２４ａは、サポート取付け用の治具４７の受け金具４９の段差部５０の上面に載置され、床用の型枠２４の階段側の端縁２４ａ側は、支持板２の下面と、段差部５０とに挟持される（図１０）。
【００８２】
（２）  前記実施例１又は実施例２と同様の手順で、鉄骨階段（この実施例では、セメント系の踏み板１９が使用されている）２０Ａ、２０Ｂを架設すれば、同様に、鉄骨階段２０Ａ等を作業階段として使用することもできる。また、同様に、取付金物５の塞ぎ板１が堰板として、床用型枠の一部として機能するので、階段部分の床用型枠の構築作業が軽減される。
【００８３】
（３）  また、床用型枠２４を初めとした型枠内に、コンクリートを打設すれば、前記実施例１、２と同様に、取付金物５の塞ぎ板１の上縁１ｃを定規として、未だ固まらないコンクリートの上面２３ａを均すことができるので、コンクリート打設・均し作業を軽減できる。また、取付金物５の他側５ｂに上階に向かう鉄骨階段２０が接合されていないが、塞ぎ板１で塞ぐので、コンクリートの打設に支障が無い。
【００８４】
（４）  コンクリートが固化発現後、床用型枠２４を初め、不要な型枠、サポート３８、３９等を取り外せば、次階Ｆ１のコンクリート製の床２３を初めとした躯体の構築が完了するが（図７（ｄ）、図８（ｆ）、図１０）、取付金物５のインサート６、６がコンクリート内に埋設されるので、取付金物５を介して、鉄骨階段２０Ａ、２０Ｂが躯体に固定される。また、取付金物５は打ち込み型枠として残置され、コンクリート製床２３の下面端部が取付金物５で補強されるので、該部を補強できる。
【００８５】
また、床用の型枠２４の端縁２４ａが、支持板２の下面と、段差部５０とに挟持された状態でコンクリートが打設されるので、型枠２４を取り外した後、コンクリート製の床２３の下面２３ｂと取付金物５の支持板２の下面２ｃとが面一に形成され、外観上見栄えが良い形状とすることができる（図１０）。更に、床２３の下面（天井面）をシートやボード類で覆う場合にも、施工性が良い。また、床用の型枠２４は一般に、型枠用板材を現場切断加工で構成するので、切断面の直線性が悪い場合であっても、型枠２４の端縁２４ａが、支持板２の下面と、段差部５０とに挟まれるので、切断面の影響を受けず、施工性が良い。また、型枠２４の端縁２４ａは、図の奥行き方向（図１０）で、サポート３９に点支持されている構造状態であるので、実施例１、２の付け合わせタイプ（図４、５）では、型枠２４上のコンクリートの重みで、型枠２４の端縁２４ａに反りが生じる場合もあるが、本実施例の場合、型枠２４の端縁２４ａが、支持板２の下面と、段差部５０とに挟まれるので反りによりコンクリートの漏れが生じるおそれもない。よって、実施例１、２の場合も本実施例の段差５０を有するサポート取付用治具を使用することが望ましい（図１１）。
【００８６】
【発明の効果】
この発明は、鉄骨階段の端部へ取付金物を固定し、あるいは構築予定階で床用型枠と共に支持した取付金物に鉄骨階段を固定するので、該取付金物を型枠の一部に使用でき、取付金物が一種の捨型枠となり、寸法精度を容易に保ち得ると共に、型枠の構成が容易となり、かつ型枠の解体作業などの労力を節減できる効果がある。
【００８７】
また、この発明の取付金物では、塞ぎ板を打設予定の床コンクリートの厚みとほぼ同一の高さに形成したので、塞ぎ板の上縁を定規として、容易にコンクリートの均し作業ができる効果がある。
【００８８】
また、この発明は、床用の型枠の一部を構成する取付金物を使用して、鉄骨階段を取付けることができるので、鉄骨階段を踏み段部分のみから構成し、階段接続部分の床（フロア踊り場、中間踊り場）を現場打ちコンクリート構造として、容易に鉄骨階段を施工することができる。よって、柱や梁の位置に合わせてオーダー・メイドで設計生産しなければならなかった階段接続部分の床（フロア踊り場、中間踊り場）を分離して、踏み段部分を構成できる。従って、踏み段部分のみからなる鉄骨階段を、階高と階段巾との条件のみで設計できるので、鉄骨階段のレディー・メイドとして設計生産できるので、現場工期の短縮を図ることができる。また、レディー・メイドとして設計生産できるので、鉄骨階段を通常の商品と同様にインターネットを通じた注文販売として取り扱うこともできる効果がある。
【図面の簡単な説明】
【図１】（ａ）この発明の実施例の取付金物の斜視図である。
（ｂ）取付金物で、インサートの取付けを表す分解図である
（ｃ）取付金物で、インサートを取り付けた状態の側面図である。
（ｄ）（ｅ）他の取付金物の側面図である。
【図２】（ａ）は同じく取付金物の平面図である。
（ｂ）は同じく側面図である。
【図３】同じく取付金物に鉄骨階段を取り付けた状態の拡大正面図である。
【図４】図３のＡ−Ａ線における断面図である。
【図５】実施例２の既設階F０の断面図である。
【図６】図３のＢ−Ｂ線における断面図である。
【図７】（ａ）〜(ｄ)はこの発明の階段の取付け方法を説明する図である。
【図８】（ａ）〜(ｆ)はこの発明の階段の他の取付け方法を説明する図である。
【図９】（ａ）この発明の実施例３の取付金物の斜視図である。
（ｂ）取付金物で、インサートの取付けを表す分解図である
（ｃ）取付金物で、インサートを取り付けた状態の断面図である。
【図１０】この発明の実施例３で、図３のＡ−Ａ線における断面図に相当する図である。
【図１１】この発明の実施例１において、実施例３のサポート用の治具を使用した場合であって、図３のＡ−Ａ線における断面図に相当する図である。
【符号の説明】
１  塞ぎ板
１ｃ  塞ぎ板の上縁
２  支持板
３、４  固定金物片
５  取付金物
６  インサート
７  ボルト（インサート固定用）
９  透孔（インサート固定用）
１０  透孔（鉄骨階段固定用）
１１  ボルト（鉄骨階段固定用）
１２  ナット（鉄骨階段固定用）
１３  ボルト状金物
１４  ナット（ボルト状金物固定用）
１５  Ｕ字状鉄筋
１７  ささら桁
１８  透孔（ささら桁）
１９  踏み板
２０、２０Ａ、２０Ｂ、２０Ｃ  鉄骨階段
２１  中間踊り場
２３  コンクリート製床
２４  床用型枠
２５  サポート
２６  階段室壁
２８  中間踊り場コンクリート床
２９  中間踊り場型枠
３９  パイプサポート
４７  パイプサポート用の治具
【図１】
0004650757.tif 000002
【図２】
0004650757.tif 000003
【図３】
0004650757.tif 000004
【図４】
0004650757.tif 000005
【図５】
0004650757.tif 000006
【図６】
0004650757.tif 000007
【図７】
0004650757.tif 000008
【図８】
0004650757.tif 000009
【図９】
0004650757.tif 000010
【図１０】
0004650757.tif 000011
【図１１】
0004650757.tif 000012